(57)【要約】【課題】医療現場において薬剤名などが印刷された部分を分離して、注射器や輸液装置などに貼付でき、かつラベル製造工程において全ての表示内容が検査可能な薬剤管理用ラベルを提供する。【解決手段】ラベル基材と、そのラベル基材の裏面に形成された粘着剤層と、薬剤名や内容量などの情報を表示するために、ラベル基材に印刷形成された第一及び第二表示部と、第一表示部を分離するために形成された分離部とを備える。ラベル基材は薬剤の容器を周回するように貼付されるとともに、第一表示部は第二表示部の上に重なり、かつ、その第一表示部が第二表示部に対して剥離自在に接着される。【選択図】図１
2006055392.tif 000002
【特許請求の範囲】
【請求項１】
薬剤の容器に貼付して用いる薬剤管理用ラベルにおいて、
ラベル基材と、
そのラベル基材の裏面に形成された粘着剤層と、
薬剤名や内容量などの情報を表示するために、前記ラベル基材に印刷形成された第一及び第二表示部と、
前記第一表示部を分離するために形成された分離部とを備え、
前記ラベル基材は前記薬剤の容器を周回するように貼付されるとともに、前記第一表示部は前記第二表示部の上に重なり、かつ、その第一表示部が前記第二表示部に対して剥離自在に接着されることを特徴とする薬剤管理用ラベル。
【請求項２】
前記ラベル基材には、前記容器内の薬剤を視認するための領域が形成されている請求項１記載の薬剤管理用ラベル。
【請求項３】
薬剤の容器に貼付して用いる薬剤管理用ラベルにおいて、
透明樹脂製のラベル基材と、
薬剤名や内容量などの情報を表示するために、前記ラベル基材に印刷形成された第一及び第二表示部と、
前記第一表示部を分離するために形成された分離部と、
前記ラベル基材の裏面に形成された粘着剤層と、
前記透明樹脂を通して背景色を与える着色層とを備え、
前記ラベル基材は前記着色層とともに前記薬剤の容器を周回するように貼付され、前記第一表示部は前記第二表示部の上に重なり、かつ、その第一表示部が前記第二表示部に対して剥離自在に接着され、
前記ラベル基材には、前記着色層が非形成とされることにより前記背景色が与えられない透明領域が形成されて、前記容器内の薬剤が視認可能にされたことを特徴とする薬剤管理用ラベル。
【請求項４】
前記第二表示部の表面には、前記第一表示部との剥離性を向上させるための剥離層が形成されている請求項１または請求項３記載の薬剤管理用ラベル。
【請求項５】
前記第一表示部には、分離する際に指をかける突部が形成されている請求項１または３記載の薬剤管理用ラベル。
【発明の詳細な説明】
【技術分野】
【０００１】
本発明は、薬剤管理用ラベルに関する。
【背景技術】
【０００２】
アンプルやバイアルなどの薬剤用容器には、内容物を識別するためにラベルが貼付されている。このようなラベルは、紙や合成樹脂などから成るラベル基材の裏面に粘着剤層が塗布され、表面には薬剤名や内容量などの情報が印刷されたものが用いられる。
【０００３】
医療現場において、薬剤容器に入れられた薬剤は、薬剤名の表記がない注射器に移し替えられて患者に投与されたり、点滴の輸液容器に混注して使用されたりする。この場合、薬剤師や看護師などの医療従事者が薬剤を注射器などに移し替えた後、直ぐに患者に投与すればよいが、席を離れたりすると、後で薬剤を取り違えて誤使用することがある。
【０００４】
このような誤使用を防止するために、薬剤名などが印刷された部分がシールになっており、このシール部をめくり取って注射器などに貼付する薬剤管理用ラベルが知られている。例えば下記特許文献１には薬剤情報が印刷された２枚のラベル（上層ラベル及び下層ラベル）が剥離可能に接着され、上層ラベルを剥離する際に指をかける突部を形成した薬剤管理用多層ラベルが開示されている。上層ラベルをめくり取って注射器などに貼付することで、簡単に薬剤情報を表示できるとともに、薬剤容器に残った下層ラベルにも同様の薬剤情報が記載されているので、容器の内容確認も容易にできる。また、下記特許文献２にも同様の薬剤管理用ラベルが開示されている。
【特許文献１】特開２００２−１２６０４１号公報
【特許文献２】特開２００３−１０８００２号公報
【発明の開示】
【発明が解決しようとする課題】
【０００５】
一方、薬剤管理用ラベルを製造する工程においては、表示内容に印刷ミスなどが無いよう、特に厳重に検査が行われる。印刷ミスなどがあると、誤使用に繋がる危険性が生じるためである。しかしながら上述のような、２枚のラベルが接着された積層ラベルを検査しようとしても、上層ラベルについては確認できるが下層ラベルは隠れてしまって十分な検査ができないという問題がある。また、２枚のラベルを接着する前に別々に検査すると検査工程が２回必要になり、手間がかかる。
【０００６】
本発明は上述のような事情を背景になされたもので、特に、医療現場において薬剤名などが印刷された部分を分離して、注射器や輸液装置などに貼付でき、かつラベル製造工程において全ての表示内容が検査可能な薬剤管理用ラベルを提供することを課題とする。
【課題を解決するための手段および発明の効果】
【０００７】
上記課題を解決するために本発明は、薬剤の容器に貼付して用いる薬剤管理用ラベルにおいて、
ラベル基材と、
そのラベル基材の裏面に形成された粘着剤層と、
薬剤名や内容量などの情報を表示するために、前記ラベル基材に印刷形成された第一及び第二表示部と、
前記第一表示部を分離するために形成された分離部とを備え、
前記ラベル基材は前記薬剤の容器を周回するように貼付されるとともに、前記第一表示部は前記第二表示部の上に重なり、かつ、その第一表示部が前記第二表示部に対して剥離自在に接着されることを主要な特徴とする。
【０００８】
また、本発明は、薬剤の容器に貼付して用いる薬剤管理用ラベルにおいて、
透明樹脂製のラベル基材と、
薬剤名や内容量などの情報を表示するために、前記ラベル基材に印刷形成された第一及び第二表示部と、
前記第一表示部を分離するために形成された分離部と、
前記ラベル基材の裏面に形成された粘着剤層と、
前記透明樹脂を通して背景色を与える着色層とを備え、
前記ラベル基材は前記着色層とともに前記薬剤の容器を周回するように貼付され、前記第一表示部は前記第二表示部の上に重なり、かつ、その第一表示部が前記第二表示部に対して剥離自在に接着され、
前記ラベル基材には、前記着色層が非形成とされることにより前記背景色が与えられない透明領域が形成されて、前記容器内の薬剤が視認可能にされたことを主要な特徴とする。
【発明を実施するための最良の形態】
【０００９】
以下、本発明の実施の形態を、図面を参照して説明する。
図１に、本発明に係る薬剤管理用ラベルの一実施形態を示す。薬剤管理用ラベル１は（ｂ）の断面図に示すように、透明樹脂製のラベル基材６と、その裏面に塗布または印刷された粘着剤層７と、着色層８とにより構成される。着色層８は具体的には紙やインクなどを指す。薬剤管理用ラベルでは不透明ラベル又はこれに相当する高い視認性のあることが望まれており、このような理由から、透明樹脂製のラベル基材６を通して背景色（特に白色）を与えるように着色層８が用いられる。また、この着色層８はラベル基材６の全面に設けられておらず、一部に設けられていない領域が存在する。
【００１０】
一方、図１（ａ）の表面図に示すようにラベル基材６の表面には薬剤情報を表示するための第一表示部Ｄ１及び第二表示部Ｄ２が印刷層１０によって印刷形成されている。ここで薬剤情報とは、例えば薬剤名、製造番号、使用期限、内容量などの情報や、コード（これらの情報をバーコードなどで表示したもの）を指す。第一表示部Ｄ１及び第二表示部Ｄ２には略同一の内容が表示されている。また、ラベル基材６の表面には、各表示部Ｄ１，Ｄ２に表示されていない情報を印刷するための領域５が形成されている。第一表示部Ｄ１の両端には分離部２（切り取り線など）が形成されて、第一表示部Ｄ１を分離できるようにされている。さらに、第一表示部Ｄ１を分離する際に指をかける突部３が形成されている。この突部３の裏面には指をかけた時に粘着しないように、例えばインクなどからなる非粘着層（図示しない）が形成されている。
【００１１】
また、薬剤管理用ラベル１には透明領域４と、接着部１２が形成されている。透明領域４は着色層８が形成されていないので、透明領域を通して容器内の薬剤を視認できる。
【００１２】
薬剤管理用ラベル１は図２（ａ）アンプルや（ｂ）バイアルを周回するように貼付して使用する。すなわち図２（ｃ）の概略断面図に示すように、ラベルを薬剤容器１１に対して、第二表示部Ｄ２を含む一端から巻き始め、一周するとともに第一表示部Ｄ１を第二表示部Ｄ２の上に重ねて接着するのである。より詳しくは、例えば図５（ａ）の裏面図に示すように両端に粘着剤層７が露出するようにしておき、この露出部分を使って薬剤容器に貼付する。また、第一表示部Ｄ１は第二表示部Ｄ２に対して剥離自在に接着されている。具体的には、例えば第二表示部Ｄ２の表面で、特に接着される部分に、ニスなどの剥離層（図示しない）を塗布することで第一表示部Ｄ１と第二表示部Ｄ２の剥離性を向上するようにされている。また、粘着剤層に剥離性のある粘着剤を使用することで、剥離性を向上する方法を採用してもよい。
【００１３】
図２（ｃ）に示すように、透明領域４においてはラベル基材６と薬剤容器１１の間に着色層８が存在せず、ラベル越しに薬剤容器１１の内容物（薬剤）を視認できるようにされている。すなわち薬剤容器１１は通常、ガラス製なので、透明領域４とガラスを通して薬剤を視認できるのである。
【００１４】
なお、上記透明樹脂としては例えばポリエチレン、ポリプロピレン、ポリエチレンテレフタレート、ポリスチレンなどが好適に用いられる。
【００１５】
以上説明した薬剤管理用ラベル１は、薬剤容器１１に貼付された状態で病院へ出荷される。図３（ａ），（ｂ）に示すように、医療現場には薬剤名が表示されていない注射器１３が用意されており、薬剤容器１１内の薬剤はこの注射器１３に移し替えられた後に患者に投与される。その際、突部３を指でつまんで、分離部２に沿って第一表示部Ｄ１を分離し、図３（ｂ）に示すように注射器１３に貼付する。これにより、たとえ医療従事者が一旦、席を外したとしても、その内容が注射器１３に貼付されているので、その後で内容を間違えて注射する事故を防止できる。また、第一表示部Ｄ１を分離すると第二表示部Ｄ２が現れるので、アンプル１１側に残った薬剤の内容を確認することもできる。
【００１６】
次に図２（ｃ）の要部を、図４の拡大図を用いて説明する。薬剤管理用ラベル１は上述したように透明樹脂製のラベル基材６、粘着剤層７、着色層８からなり、この薬剤管理用ラベル１は、第二表示部Ｄ２が印刷形成された一端から薬剤容器１１に対して貼付される。例えば図５（ａ）に示すようにラベルの両端に粘着剤層７が露出する部分があり、この露出部分を使って薬剤容器１１へ接着する。そして薬剤容器１１を周回するとともに第一表示部Ｄ１が第二表示部Ｄ２の上に重ねられ、かつ剥離自在に接着される。第一表示部Ｄ１と第二表示部Ｄ２との剥離性を向上させるために、第二表示部Ｄ２の表面にニスなどの剥離層が、特に接着される部分に塗布される。または第一接着層７に剥離性の良い粘着剤を用いてもよい。一方、透明領域４には薬剤容器１１とラベル基材６との間に着色層８が存在しないので、薬剤容器１１内の薬剤を視認するための領域として用いられる。
【００１７】
従来の薬剤管理用ラベルでは、ラベル製造工程において２枚のラベルが重ねられた状態での、下層側ラベルの検査が困難だった。また、検査するとしても、重ねる前に個々に検査しなければならず、手間がかかる問題もあった。しかしながら本発明では、図１（ａ）に示すように、第一表示部Ｄ１及び第二表示部Ｄ２がそれぞれ１枚のラベル上の別の位置に形成されているので、各表示部の検査を一回で、確実に行うことができる。
【００１８】
なお、仮に図９（ａ）に示すように、第一表示部Ｄ１と第二表示部Ｄ２を重ねず、分けて表示したとすると、これら２つの表示部の占める面積が大きくなってしまい、薬剤名以外の情報を表示する領域５が小さくなる問題が生じる。それに対して本発明では第二表示部Ｄ２の上に第一表示部Ｄ１を重ねているので、これら表示部Ｄ１、Ｄ２の占める面積を最小限に留め、その他の表示領域を最大限に活用することができる。
【００１９】
次に、本発明の別の実施形態について説明する。本発明の薬剤管理用ラベルは、例えば図６（ａ）に示すように、着色層８の裏面に第二の粘着剤層９を塗布してもよい。すなわち、この薬剤管理用ラベルは、透明樹脂製のラベル基材６と、薬剤名や内容量などの情報を表示するためにラベル基材６に印刷形成された第一表示部Ｄ１および第二表示部Ｄ２と、第一表示部を分離するために形成された分離部２（切り取り線）と、ラベル基材６の裏面に形成された第一粘着剤層７と、その第一粘着剤層７を介して接着された着色層８と、その着色層８の裏面に形成された第二粘着剤層９を備える。
【００２０】
さらに本発明は図６（ｂ）のように、第一表示部Ｄ１および接着部１２に着色層８を形成しない形態とすることも可能である。このようにすると第一表示部Ｄ１は透明になるが、第二表示部Ｄ２への位置合わせを確実に行えば、下側（第二表示部Ｄ２）の印字と、上側（第一表示部Ｄ１）の印字がずれて見えることは無い。
【００２１】
なお、図６（ｃ）の裏面図に示すように、分離部２の周囲に、インクなどの非粘着層を塗布してもよい。このようにすると、分離部２に沿って第一表示部Ｄ１を分離する際に、分離部２の周囲の粘着力が低減しているので、より少ない力で分離できる。
【００２２】
さらには、図７（ａ）に示すように、着色された樹脂または紙からなるラベル基材を用い、一部のラベル基材を切り取ってスリットを形成してもよい。このスリットは、上述した透明領域の替わりになるもので、容器内の薬剤を視認するのに用いられる。一方、ラベル基材の表面には第一表示部Ｄ１、第二表示部Ｄ２が印刷形成され、裏面には粘着剤層が形成される。このようにすると、着色樹脂製のラベル基材、印刷層、粘着剤層からなる簡単な構造ながら、図１の実施形態とほぼ同じ効果を奏することができる。なお、図７（ａ）の実施形態では突部３が形成されておらず、第一表示部Ｄ１を分離する際には、指で引っ掛けるようにして剥がして用いる。
【００２３】
図１の実施形態では第一表示部Ｄ１のすぐ隣に透明領域４を形成したが、図７（ｂ）のように、第一表示部Ｄ１から離して形成してもよい。また、図７（ｃ）のように、接着部１２を設けない形態を採用することもできる。さらには、図示しないが、接着部１２を設けず、第一表示部Ｄ１の側面に突部３を形成するようにしてもよい。
【００２４】
さらに、図８の（ａ）表面図および（ｂ）断面図に示す形態とすることも可能である。図８では透明樹脂製のラベル基材６の裏面に粘着剤層１４が塗布されており、表面には印刷層１０’によって背景色が印刷され、その上に別の印刷層１０によって薬剤情報が印字されている。また、この第一表示部Ｄ１を他の部分から分離するための分離部２が形成されている。ラベル基材６には裏側が透明樹脂越しに見える透明領域４が形成されており、容器に入れられた薬剤を視認するのに用いられる。
【００２５】
さらには、図８（ｃ）に示す形態とすることもできる。図８（ｃ）では、透明樹脂製のラベル基材６の裏面に印刷層１０’が印刷され、透明樹脂を通して背景色を与えるようにされている。そしてその印刷層１０’の裏面には粘着剤層１４が塗布される。一方、ラベル基材６の表面には印刷層１０によって薬剤情報が印字されている。
【図面の簡単な説明】
【００２６】
【図１】本発明に係る薬剤管理用ラベルの一実施形態。
【図２】薬剤管理用ラベルを（ａ）アンプル（ｂ）バイアルに貼付した状態。（ｃ）その概略断面図。
【図３】薬剤管理用ラベルの使用方法。
【図４】図２（ｃ）の要部拡大図。
【図５】裏面の一形態。
【図６】（ａ），（ｂ）図１とは別の実施形態。（ｃ）裏面の一形態。
【図７】図１及び図６とは別の実施形態。
【図８】図１、図６、図７とは別の実施形態。
【図９】仮に第一表示部Ｄ１と第二表示部Ｄ２が積層しなかった場合の概略断面図。
【符号の説明】
【００２７】
１  薬剤管理用ラベル
２  分離部
３  突部
４  透明領域
５  第一表示部Ｄ１、第二表示部Ｄ２以外の情報を表示する部分
６  ラベル基材
７  粘着剤層（第一粘着剤層）
８  着色層
９  第二粘着剤層
Ｄ１  第一表示部
Ｄ２  第二表示部
【図１】
2006055392.tif 000003
【図２】
2006055392.tif 000004
【図３】
2006055392.tif 000005
【図４】
2006055392.tif 000006
【図５】
2006055392.tif 000007
【図６】
2006055392.tif 000008
【図７】
2006055392.tif 000009
【図８】
2006055392.tif 000010
【図９】
2006055392.tif 000011